(57)【要約】  本発明は、複数の業務用螺条付き締結具の同時締めのために、複数のネットワーク化された電気動力式トルク工具、及び／又は、各トルク工具の駆動部分を有するボルト締めシステムと共に使用される操作パラメータ調整ユニットであって、処理ユニットと、前記処理ユニットに対して接続及び／又は一体化された出力ユニットと、前記処理ユニットに対して接続及び／又は一体化された入力ユニットと、前記複数のネットワーク化された電気動力式トルク工具及び／又は各トルク工具の駆動部分の操作ユニットを起動すべく、前記処理ユニットに対して接続及び／又は一体化された起動ユニットと、前記複数のネットワーク化された電気動力式トルク工具及び／又は各トルク工具の駆動部分の各々の操作パラメータを制御して、各操作パラメータ間の差を所定値以内に維持する制御ユニットとを含む、操作パラメータ調整ユニットに関する。【選択図】図１
2019514701.tif 000002
【特許請求の範囲】
【請求項１】
複数の業務用螺条付き締結具の同時締めのために、複数のネットワーク化された電気動力式トルク工具、及び／又は、各トルク工具の駆動部分を有するボルト締めシステムと共に使用される操作パラメータ調整ユニットにおいて、
前記操作パラメータ調整ユニットは、
処理ユニットと、
前記処理ユニットに対して接続及び／又は一体化された出力ユニットと、
前記処理ユニットに対して接続及び／又は一体化された入力ユニットと、
前記複数のネットワーク化された電気動力式トルク工具及び／又は各トルク工具の駆動部分の操作ユニットを起動すべく、前記処理ユニットに対して接続及び／又は一体化された起動ユニットと、
前記複数のネットワーク化された電気動力式トルク工具及び／又は各トルク工具の駆動部分の各々の操作パラメータを制御して、各操作パラメータ間の差を所定値以内に維持する制御ユニットとを含む、操作パラメータ調整ユニット。
【請求項２】
前記操作パラメータは、電流、電圧及び／又は磁界を含む工具の電気回路パラメータ、工具トルク出力値、締結具の回転速度、締結具のプレテンション力、締結具の回転角度、締結具の伸び、締結具及び／又は工具の捩れ、反作用取付具の側方負荷、締結具の摩擦抵抗、及び／又は、それらの任意の組み合わせ、のいずれかを含む、請求項１に記載の操作パラメータ調整ユニット。
【請求項３】
動作の間に、前記複数のネットワーク化された電気動力式トルク工具及び／又は各トルク工具の駆動部分の各操作パラメータ間の前記差が前記所定値を超過した場合、
増大された単一もしくは複数の操作パラメータを有する単一もしくは複数の工具及び／又は各駆動部分の単一もしくは複数の操作パラメータを終了すること、
増大された単一もしくは複数の操作パラメータを有する単一もしくは複数の工具及び／又は各駆動部分の単一もしくは複数の操作パラメータを低下させること、
減少された単一もしくは複数の操作パラメータを有する単一もしくは複数の工具及び／又は各駆動部分の単一もしくは複数の操作パラメータを上昇させること、又は、
因果的に、同時的に、及び／又は、所定順序のいずれかにて、斯かる作用の任意の１つ以上を、任意の１つ以上の斯かる工具及び／又は駆動部分に対して実施すること、
のいずれかにより、単一もしくは複数の操作パラメータにおける前記差が前記所定値以内に戻るまで、前記制御ユニットは各工具及び／又は駆動部分の各操作パラメータを調整する、請求項１又は２に記載の操作パラメータ調整ユニット。
【請求項４】
当該操作パラメータ調整ユニットは、前記処理ユニットに対して接続及び／又は一体化されたデータ捕捉ユニットを含み、
前記処理ユニットは、前記データ捕捉ユニットにより決定された締結具接続プロセス・パラメータに基づき、当該操作パラメータ調整ユニット上で設定されるべき前記所定値の出力に対して設計される、請求項１〜３のいずれか一項に記載の操作パラメータ調整ユニット。
【請求項５】
前記データ捕捉ユニットは、可搬式のコード読取デバイス、及び／又は、RFID受信器、及び／又は、書き込みユニットとして設計されることを特徴とする、請求項４に記載の操作パラメータ調整ユニット。
【請求項６】
記憶ユニットを含む、請求項１〜５のいずれか一項に記載の操作パラメータ調整ユニット。
【請求項７】
衛星、Wi-Fi、WiMax、Bluetooth、ZigBee、マイクロ波、赤外線、及び／又は、無線を含む任意の適切な手段により、前記複数のネットワーク化された電気動力式トルク工具及び／又は各トルク工具の駆動部分との無線接続に対して設計された、請求項１〜６のいずれか一項に記載の操作パラメータ調整ユニット。
【請求項８】
前記複数のネットワーク化された電気動力式トルク工具及び／又は各トルク工具の駆動部分の各操作パラメータの直接的及び／又は間接的な測定のためのセンサ・ユニットを含む、請求項１〜７のいずれか一項に記載の操作パラメータ調整ユニット。
【請求項９】
前記データ捕捉ユニットは、前記処理ユニットとの無線接続に対して設計されることを特徴とする、請求項１〜８のいずれか一項に記載の操作パラメータ調整ユニット。
【請求項１０】
実現されたボルト締め接続の文書化に対して設計された、請求項１〜９のいずれか一項に記載の操作パラメータ調整ユニット。
【請求項１１】
各締結具接続プロセス・パラメータは、操作員、動力操作式の工具、締結具接続対象物、及び、締結具式接続器具に基づいて決定されることを特徴とする、請求項４に記載の操作パラメータ調整ユニット。
【請求項１２】
請求項１〜１１のいずれか一項に記載の操作パラメータ調整ユニットを含む、電気動力式トルク工具。
【請求項１３】
携帯式及び／又は可搬式の種類である、請求項１２に記載の電気動力式トルク工具。
【請求項１４】
請求項１〜１１のいずれか一項に記載の操作パラメータ調整ユニットを含む、複数の業務用螺条付き締結具の同時締めのための業務用ボルト締めシステム。
【請求項１５】
請求項１２又は１３に記載の一台の電気動力式トルク工具により制御される、複数のネットワーク化された電気動力式トルク工具及び／又は各トルク工具の駆動部分を含む、請求項１４に記載の業務用ボルト締めシステム。
【請求項１６】
請求項１２又は１３に記載の一台の電気動力式トルク工具により制御される、各電気動力式トルク工具の複数のネットワーク化された駆動部分を含む、請求項１４に記載の業務用ボルト締めシステム。
【請求項１７】
前記操作パラメータ調整ユニットは、可搬式デバイス内に形成され、且つ、当該業務用ボルト締めシステムは、
複数のネットワーク化された電気動力式トルク工具、
複数のネットワーク化されたトルク工具の電気動力式駆動部分、又は、
それらの任意の組み合わせ、
のいずれかを含む、請求項１４に記載の業務用ボルト締めシステム。
【請求項１８】
前記ネットワーク化された電気動力式トルク工具、及び／又は、前記ネットワーク化されたトルク工具の電気動力式駆動部分は、携帯式及び／又は可搬式の種類である、請求項１４〜１７のいずれか一項に記載の業務用ボルト締めシステム。
【請求項１９】
前記操作パラメータ調整ユニットは、前記複数のネットワーク化された電気動力式トルク工具及び／又は各トルク工具の駆動部分を自動的に制御する、請求項１４〜１８のいずれか一項に記載の業務用ボルト締めシステム。
【請求項２０】
前記複数のネットワーク化された電気動力式トルク工具及び／又は各トルク工具の駆動部分の内の少なくとも１つのものの前記起動ユニットは、操作者により手動的に制御されるトリガとして形成される、請求項１４〜１８のいずれか一項に記載の業務用ボルト締めシステム。
【請求項２１】
SIMULTORC（登録商標）、すなわち、ハイトーク（登録商標）ディビジョン  ユネックス  コーポレイションが所有するボルト締め方法を達成して、フランジの接合部漏出、接合部破損、及び／又は、ガスケット緩衝蓋体の圧壊による操作者の負傷、特性損失、及び／又は、生産損失の虞れを最小限度に抑えるParallel Joint Closure（登録商標）及び接合完全性を確実とする、請求項１４〜２０のいずれか一項に記載の業務用ボルト締めシステム。
【請求項２２】
前記複数のネットワーク化された電気動力式トルク工具及び／又は各トルク工具の駆動部分の各々は、前記締結具接続対象物の回りにおける各螺条付き締結具上で相互から等距離に配置される、請求項１４〜２１のいずれか一項に記載の業務用ボルト締めシステム。
【請求項２３】
前記複数のネットワーク化された電気動力式トルク工具及び／又は各トルク工具の駆動部分は、単一台もしくは複数台の時間及び／又は位置捕捉ユニットを含む、請求項１４〜２２のいずれか一項に記載の業務用ボルト締めシステム。
【請求項２４】
前記単一台もしくは複数台の時間及び／又は位置捕捉ユニットは、ボルト締め操作の遠隔的な、非監視的な、及び／又は、自動的な実施を許容するドローン飛行機能の如き自動化増進機能を含む、請求項２３に記載の業務用ボルト締めシステム。
【請求項２５】
前記複数のネットワーク化された電気動力式トルク工具及び／又は各トルク工具の駆動部分が各螺条付き締結具を締め且つ／又は緩めるべく利用可能なときを決定することにより前記操作ユニットを起動可能とする検知ユニットを含む、請求項１４〜２４のいずれか一項に記載の業務用ボルト締めシステム。
【請求項２６】
前記複数のネットワーク化された電気動力式トルク工具及び／又は各トルク工具の駆動部分の各々の操作パラメータ間の差を所定値以内に維持する段階を含む、請求項１４〜２５のいずれか一項に記載の業務用ボルト締めシステムを自動的に制御する方法。
【請求項２７】
前記複数のネットワーク化された電気動力式トルク工具及び／又は各トルク工具の駆動部分の各々を、前記締結具接続対象物の回りにおける各螺条付き締結具上で相互から等距離に配置する段階を含む、請求項２６に記載の方法。
【請求項２８】
前記複数のネットワーク化された電気動力式トルク工具及び／又は各トルク工具の駆動部分の各々は、ボルト締め操作の実施のために、遠隔的な、非監視的な、及び／又は、自動的な載置及び移動を許容するドローン飛行機能の如き自動化増進機能を有する単一台もしくは複数台の時間及び／又は位置捕捉ユニットを含む、請求項２６に記載の方法。
【請求項２９】
本明細書において添付図面に関して記述され且つ／又は示された、一切の新規な特徴、又は、特徴の新規な組み合わせ。
【発明の詳細な説明】
【技術分野】
【０００１】
本出願は、本出願と同様に本出願人が所有し且つ／又は同時係属中である、以下の特許出願の優先権を主張し、且つ／又は、その継続特許出願又は一部継続出願であり、その全ての内容は言及したことにより本明細書中に援用される、２０１６年３月２日の出願日を有すると共に“螺条付き締結具を締める装置”と称された米国出願第６２／３０２,２６０号。
【背景技術】
【０００２】
電動トルク・レンチは、電気モータに対して結合されて複数の減速比を有するプラネタリ・トルク・マルチプライヤもしくは変速機を含む。上記変速機の端部には、トルクを吸収すべく使用される反作用デバイスが在る。正しいトルク出力は、例えば、電気入力を制御することにより、操作ユニットを介して調節される。この例においては、正しいトルク出力への到達時に、電気モータは、工具の操作者により調節されるレベルに従って停止される。電動トルク・レンチを制御する斯かる操作ユニットは、現状技術から十分に知られている。
【０００３】
公知の操作ユニットは、ネジ止めプロセスが適切に実施されたか否かを判断する責任から操作員を解放する、という実施例を有している。しかし、操作員は、達成されるべき目標パラメータもしくは値が達成され得る様に、所定様式で設定用パラメータを最初に設定することが依然として必要とされる。これにより、各設定用パラメータは、例えば、操作者、用途もしくはネジ接続物、及び、使用される工具から帰着する複数のネジ接続プロセス・パラメータに一致する。不完全なネジ接続に帰着する既知のエラーの原因は、例えば、不適切な工具の選択、不正確な演算テーブルの使用、設定用パラメータを決定する上での基本計算エラー、ネジ接続に対するネジ・パラメータの不正確な割当て、不正確なボルト伸び、工具もしくはその構成要素の故障、測定手段の故障、設定用パラメータの不正確な設定、などである。
【０００４】
これらの種類の問題は、ネジのプレテンション力を生成する流体動力操作式の工具であって、例えば、油圧的に作動されるトルクもしくは他のレンチ、又は、膨張シリンダを含むという工具を駆動する駆動ユニットにおいて対処されてきた。その全ての内容は言及したことにより本明細書中に援用されるある特許文献において、本出願人は、設定用パラメータの不正確な設定の虞れを排除する駆動ユニットを提供した（例えば、特許文献１参照。）。動力操作式の工具に対する他の制御及び管理ユニット及びシステムは、さらに別の特許文献において本出願人により開示されており、それらの全ての内容は言及したことにより本明細書中に援用される（例えば、特許文献２〜４参照。）。
【先行技術文献】
【特許文献】
【０００５】
【特許文献１】国際公開第２０１２／０６７６０２号
【特許文献２】国際公開第２０１０／１２４１５０号
【特許文献３】国際公開第２０１０／１５１２５６号
【特許文献４】国際公開第２０１３／１７２８４１号
【発明の概要】
【発明が解決しようとする課題】
【０００６】
必要とされるのは、更に良好な業務用ボルト締めシステムである。
【課題を解決するための手段】
【０００７】
本発明は、
複数の業務用螺条付き締結具の同時締めのために、複数のネットワーク化された電気動力式トルク工具、及び／又は、各トルク工具の駆動部分を有するボルト締めシステムと共に使用される操作パラメータ調整ユニットであって、
処理ユニットと、
上記処理ユニットに対して接続及び／又は一体化された出力ユニットと、
上記処理ユニットに対して接続及び／又は一体化された入力ユニットと、
上記複数のネットワーク化された電気動力式トルク工具及び／又は各トルク工具の駆動部分の操作ユニットを起動すべく、上記処理ユニットに対して接続及び／又は一体化された起動ユニットと、
上記複数のネットワーク化された電気動力式トルク工具及び／又は各トルク工具の駆動部分の各々の操作パラメータを制御して、各操作パラメータ間の差を所定値以内に維持する制御ユニットとを含む、操作パラメータ調整ユニットに関する。
【０００８】
本出願において開示された技術革新は、請求項１の特徴を備えた、複数の業務用螺条付き締結具の同時締めのために、複数のネットワーク化された電気動力式トルク工具、及び／又は、各トルク工具の駆動部分を有するボルト締めシステムと共に使用される操作パラメータ調整ユニットにより、斯かる駆動ユニット及び制御ユニットの技術を進歩させると共に、上記課題を解決する。斯かる操作パラメータ調整ユニットを含む電気動力式トルク工具が開示される。斯かる複数台の操作パラメータ調整ユニット、斯かる一台の電気動力式トルク工具により制御される、複数のネットワーク化された電気動力式トルク工具、斯かる一台の電気動力式トルク工具により制御される、複数のネットワーク化されたトルク工具の電気動力式駆動部分、又は、それらの任意の組み合わせ、のいずれかを含む、複数の業務用螺条付き締結具の同時締めのための業務用ボルト締めシステムも開示される。本発明の好適実施例は、従属請求項において列挙される。
【０００９】
好適には、本出願において開示された技術革新は、複数の業務用螺条付き締結具の同時締めのために、複数のネットワーク化された電気動力式トルク工具、及び／又は、各トルク工具の駆動部分を有するボルト締めシステムのための操作パラメータ調整ユニットを包含する。実際、SIMULTORC（登録商標）は、複数のネットワーク化された電気動力式トルク工具、及び／又は、各トルク工具の駆動部分、特に、携帯式及び／又は可搬式の種類のものにより達成可能である。SIMULTORC（登録商標）は、Parallel Joint Closure（登録商標）及び接合完全性を確実とする本出願人が所有するボルト締め方法であり、フランジの接合部漏出、接合部破損、及び／又は、ガスケット緩衝蓋体の圧壊による操作者の負傷、特性損失、及び／又は、生産損失の虞れを最小限度に抑えるものである。
【００１０】
本発明に係る操作パラメータ調整ユニットの特徴は、それが、出力ユニットを備える処理ユニット、ならびに、該処理ユニットに対して接続及び／又は一体化されたデータ捕捉ユニットを有し、上記処理ユニットは、上記データ捕捉ユニットにより決定された締結具接続プロセス・パラメータに基づき、上記操作パラメータ調整ユニット上で設定されるべき上記値の出力に対して設計される、ということである。本発明に係る操作パラメータ調整ユニットのデータ捕捉ユニットによれば、操作員からの入力を必要とせずに、締結具接続プロセス・パラメータを自動的に捕捉することが可能とされる。上記締結具接続プロセス・パラメータとしては、例えば、操作員に関するデータ、例えば使用される電動トルク・レンチもしくは他の工具などの使用されるべき工具に関するデータ、締結具接続手段に関するデータ、及び、相互に締結されるべき各構造要素に関するデータが挙げられる。対応する各締結具接続プロセス・パラメータが上記データ捕捉ユニットにより自動的に取り込まれ得る形態で該パラメータを記憶すると、各設定用パラメータの決定に必要とされる全ての締結具接続プロセス・パラメータのエラー無しでの捕捉が許容され、各設定用パラメータが記憶されていないか、取り込まれたデータから既に直接的に帰着していない限りにおいて、上記捕捉に基づいて上記処理ユニットは各設定用パラメータを決定する。操作員による不正確な入力から帰着し得る不正確な設定用パラメータの指定、入力及び／又は使用は、自動的なデータ捕捉により阻止される。上記処理ユニットにより決定された各設定用パラメータは、該処理ユニットの出力ユニットを介してエラーなしで特定されることから、特定された設定用パラメータの転送のみが必要とされる。作業プロセスは、その後に、上記工具及び／又は該工具の駆動部分の動作により上記起動もしくは動力ユニットの起動を介して開始され得ると共に、目標値が実現された後に再び終了され得る。
【００１１】
上記処理ユニットに対して接続及び／又は一体化された起動ユニットは、上記複数のネットワーク化された電気動力式トルク工具及び／又は各トルク工具の駆動部分の各操作ユニットを起動する。制御ユニットは、上記複数のネットワーク化された電気動力式トルク工具及び／又は各トルク工具の駆動部分の各々の操作パラメータを制御して、各操作パラメータ間の差を所定値以内に維持する。上記処理ユニットに対しては、複数の起動ユニットが接続及び／又は一体化されることで、上記複数のネットワーク化された電気動力式トルク工具及び／又は各トルク工具の駆動部分の各操作ユニットを起動し得ることを銘記されたい。
【００１２】
上記操作パラメータは、電流、電圧及び／又は磁界を含む工具の電気回路パラメータ、工具トルク出力値、締結具の回転速度、締結具のプレテンション力、締結具の回転角度、締結具の伸び、軸線方向であるかハウジングの撓曲であるかに関わらず、締結具及び／又は工具の捩れ、反作用取付具の側方負荷、締結具の摩擦抵抗、及び／又は、それらの任意の組み合わせ、のいずれかを含む。各操作パラメータは、種々の形式の、センサ・ユニット、歪ゲージ、回転エンコーダ、トルク・センサ及び変換器、ホール効果及び同様の磁界及び強磁界検知ユニット、荷重計、位置メータ／センサ、などにより直接的及び／又は間接的に測定もしくは検知され得る。当業界で公知である他の構成要素が使用され得ることを銘記されたい。
【００１３】
SIMULTORC（登録商標）動作の間に、上記複数のネットワーク化された電気動力式トルク工具及び／又は各トルク工具の駆動部分の各操作パラメータ間の上記差が上記所定値を超過した場合、単一もしくは複数の操作パラメータにおける上記差が上記所定値以内に戻るまで、上記制御ユニットは各工具及び／又は駆動部分の各操作パラメータを調整する。上記制御ユニットは、増大された単一もしくは複数の操作パラメータを有する単一もしくは複数の工具及び／又は各駆動部分の単一もしくは複数の操作パラメータを終了し、増大された単一もしくは複数の操作パラメータを有する単一もしくは複数の工具及び／又は各駆動部分の単一もしくは複数の操作パラメータを低下させ、減少された単一もしくは複数の操作パラメータを有する単一もしくは複数の工具及び／又は各駆動部分の単一もしくは複数の操作パラメータを上昇させ、又は、因果的に、同時的に、及び／又は、所定順序のいずれかにて、斯かる作用の任意の１つ以上を、任意の１つ以上の斯かる工具及び／又は駆動部分に対して実施すること、のいずれかを行う。例えば、上記処理ユニットに対して一体化され、且つ、上記ボルト締めプロセスを独立的に開始すると共に、目標値が実現された後でそれを終了させる自動実行システム及び／又はコンピュータ・プログラムもまた、本発明の単一回もしくは複数回のボルト締めプロセスを協働的及び／又は別体的に実施すべく使用され得ることを銘記されたい。
【００１４】
上記処理ユニットより実施されるべく自動的に捕捉された特定の複数のプロセス・パラメータの平衡化は、概略的に任意の様式で行われ得るものであり、例えば、各設定用パラメータを決定するために必要なデータは、既に上記処理ユニット内に記憶されている。但し、本発明の更なる好適実施例に依れば、上記処理ユニットは記憶ユニットへの接続に対して設計される。本発明のこの実施例によれば、必要な設定用パラメータを決定するために必要な情報を、上記記憶ユニットを介して上記処理ユニットに対して選択的に提供することが可能とされる。本発明のこの更なる実施例の場合、各設定用パラメータを決定するために必要とされる関連データの、上記処理ユニットにおける記憶は、それが特にコスト効率的に設計され得る様に、省略され得る。
【００１５】
記憶ユニットに対する上記接続によれば、その様にしなければ可能的に複雑である上記処理ユニットの更新が省略され得る様に、現在のデータに対する簡素な様式でのアクセスも可能とされる。
【００１６】
上記記憶ユニットに対する接続の選択肢によれば、例えば、実施されたボルト締めプロセスに関するデータなどのプロセス特有情報を上記記憶ユニットに記憶することも可能とされる。手作業での可能的には不完全で時間及びコスト集約的である、実施されたボルト締めプロセスの文書化は、省略され得る。故に、記憶ユニットに対する上記処理ユニットの接続の確立は、任意の形態で行われ得、例えばUSB接続などの上記処理ユニット上に配置された標準化接続によれば、上記処理ユニットに対する上記記憶ユニットの接続が簡素な様式で可能とされる。
【００１７】
但し、本発明の特に好適な実施例に依れば、上記処理ユニットは、上記記憶ユニットとの無線接続に対して設計される。特に、標準化された無線プロトコルを介して確立され得る無線接続によれば、上記記憶ユニットに対する上記処理ユニットの特に簡素で快適な接続が可能とされる。それらは、例えば、GSMモジュール、Bluetoothモジュールなどを備え得る。上記処理ユニットと記憶ユニットとの間には、衛星（Satellite）、Wi-Fi、WiMax、Bluetooth、ZigBee、マイクロ波、赤外線、無線、及び／又は、近接センサなどの、任意の適切な無線接続の手段が使用され得ることを銘記されたい。本発明のこの実施例に依れば、対応して設計された複数の駆動ユニットにより、例えば中央データベースなどの中央記憶ユニットに対してアクセスすることも可能とされ得るので、ローカルの記憶ユニットは必要とされない。中央データベースの使用によれば、特別な様式でのデータ管理が促進される、と言うのも、更新が行われる必要があるのは、１つのデータベースにおいてのみだからである。更に、上記中央記憶ユニットに対する無線接続によれば、製品出荷の追跡と同様に、情報が上記中央データベースから権限のある人員により照会され得るように、実施されたボルト締めプロセスに関する情報を中央的に記憶することが可能とされる。
【００１８】
各設定用パラメータの決定のためには、締結具接続プロセス・パラメータが、例えば、操作パラメータ調整ユニット自体における、又は、複数のネットワーク化された電気動力式トルク工具及び／もしくは各トルク工具の駆動部分、もしくは、締結具接続物における、適切な箇所において、上記データ捕捉ユニットにより理解され得る様式で記憶されることが必要とされる。上記締結具接続プロセス・パラメータとしては、例えば、操作員の識別情報、例えば、製造者、種類、サイズ、通し番号、特性に関する情報などの、複数のネットワーク化された電気動力式トルク工具及び／又は各トルク工具の駆動部分の内の１つ以上のものに関する情報、が挙げられ、締結具接続対象物上のデータは、種類、用途、締結具接続形式の説明、（例えば、トルク、プレテンション力、回転角度、伸び、捩れ、側方負荷、又は、摩擦抵抗などの）締結具接続パラメータであり得、且つ、締結具接続物の機器上のデータとしては、例えば、製造者、螺条、寸法、降伏点などが挙げられる。締結具接続プロセス・パラメータは、他の適切な特性、データ、及び／又は、情報を含み得ることを銘記されたい。これらの締結具接続プロセス・パラメータは、個々の要素上に、上記データ捕捉ユニットにより理解され得る様式で記憶される。故に、上記データ捕捉ユニットにより理解され得る様式でのデータの記憶の形式は、概略的に自由に選択可能である。例えば、バーコード又はRFIDユニットは、それら自体が機械可読コードとして特に実績があることから、本発明の特に好適な実施例に依れば、上記データ捕捉ユニットは、可搬式のコード読取器ユニット、及び／又は、RFID受信器、及び／又は、書き込みユニットとして設計される。斯かるデータ捕捉ユニットは、それらの高信頼性、及び、コスト効率的な設計により特徴付けられる。適切であれば、夫々の情報は、上記データ捕捉ユニットに対応した形態で記憶され、すなわち、この好適実施例に依れば、機械可読コードとして、又は、RFIDユニット上で、記憶されることから、それは即時に捕捉され得る。上記データ捕捉ユニットは、例えば、可搬式のコード読取デバイス、RFID受信器、及び／又は、書き込みユニットなどの如き任意の適切な手段として設計され得ることを銘記されたい。
【００１９】
故に、RFIDユニットの使用は特に、上記捕捉が、無線形態において、大きな距離を越えて行われ得るという点において特徴付けられ、RFIDユニットの使用によれば、ボルト締めプロセスの完了の後に、RFIDユニット上に補足データを記憶することも可能とされる。故に、機械可読コードは特に、バーコードなどと理解され、そのときに読取デバイスは、対応するスキャナを有する。バーコードは、例えば、工具及び／又は締結具接続物に対して取付けられたステッカー上に配置され得る。
【００２０】
上記処理ユニットに対する上記データ捕捉ユニットの接続は概略的に、任意の様式でも行われ得る。但し、本発明の特に好適な実施例に依れば、上記データ捕捉ユニットは、上記処理ユニットとの無線接続に対して設計される。接続が、例えば標準化された無線手順を介して確立されるという本発明の対応設計によれば、補足的な様式にて使用の容易さが高められる、と言うのも、データ捕捉ユニットを介したデータ捕捉に対するケーブル結合接続に起因する制約が無いからである。
【００２１】
例えば、SIMULTORC（登録商標）を達成する均一なプレテンション力の確立のために、複数のネットワーク化された単一もしくは複数の電気動力式トルク工具及び／又は各トルク工具の単一もしくは複数の駆動部分の各々の単一もしくは複数の動力ユニットにより適用されるべき単一もしくは複数の設定用パラメータ及び／又は単一もしくは複数の操作パラメータを決定するための上記操作パラメータ調整ユニットの設計は、概略的に任意の様式で行われ得る。但し、本発明の特に好適な実施例に依れば、上記操作パラメータ調整ユニットは、例えば、単一もしくは複数の設定用パラメータ及び／又は単一もしくは複数の操作パラメータの目標値を制御もしくは調整するキー・パッド・パネル、タッチスクリーン、可搬式デバイスなどを有すべく設計される。締結具接続物に対するParallel Joint Closure（登録商標）及び接合完全性を確実とするためには、操作パラメータ（例えば、電流、電圧及び／又は磁界を含む工具の電気回路パラメータ、工具トルク出力値、締結具の回転速度、締結具のプレテンション力、締結具の回転角度、締結具の伸び、軸線方向であるかハウジングの撓曲であるかに関わらず、締結具及び／又は工具の捩れ、反作用取付具の側方負荷、締結具の摩擦抵抗、及び／又は、それらの任意の組み合わせ）の制御又は調整が必要とされることを思い起こされたい。故に、上記操作パラメータ調整ユニットは、任意の様式で、最も容易な様式では自動的もしくは手動的に、上記出力ユニット上で指定された単一もしくは複数の目標値に対して設定され得る。次に、ボルト締めプロセスの開始は、複数のネットワーク化された電気動力式トルク工具及び／又は各トルク工具の駆動部分の各操作ユニットを起動するために上記操作パラメータ調整ユニットの起動ユニットの起動を介して、行われ得る。
【００２２】
上記操作パラメータ調整ユニットは、衛星、Wi-Fi、WiMax、Bluetooth、ZigBee、マイクロ波、赤外線、無線、及び／又は、近接センサなどの任意の適切な手段により、複数のネットワーク化された電気動力式トルク工具及び／又は各トルク工具の駆動部分との無線接続に対して設計されることを銘記されたい。
【００２３】
上記出力ユニットを介した各設定用パラメータの純粋に光学的な出力に加え、本発明の更なる実施例に依れば、上記出力ユニットは、上記操作パラメータ調整ユニットの制御及び／又は調整の支援のために設計されることが実現される。本発明のこの実施例に依れば、上記データ捕捉ユニットを介した各プロセス・パラメータの決定の後で、上記処理ユニットにより決定された設定用パラメータは、例えば、電気制御可能な操作パラメータ調整ユニットなどの操作パラメータ調整ユニットに対して自動的に転送される。本発明のこの実施例は、操作員により引き起こされた誤調節が、故に不完全なネジ接続が生じないことを、補足的様式にて保証する。特に好適な様式にて、上記出力ユニットは、上記制御ユニットが各設定用パラメータをチェックして修正を行うことを支援する様にも設計される。これにより、特に信頼し得る様式にて、必要とされる締結具接続のエラー無しでの確立が確実とされる。
【００２４】
実施された作業プロセスの文書化は概略的に、例えば、上記に列挙された如く、情報を記憶ユニットに記憶することにより、任意の様式で行われ得る。但し、本発明の特に好適な実施例に依れば、上記出力ユニットは印刷装置を有し、これによれば、操作員は、実現された締結具接続に関する印刷形態の報告書を直ちに入手可能とされ得る。代替的又は付加的に、本発明の更なる実施例に依れば、上記処理ユニットは、実現された締結具接続の文書化に対して設計されることも実現され得る。実現された締結具接続に関する情報を獲得することが必要とされるなら、上記処理ユニットは後時にアクセスされ得ると共に、そこに記憶されたデータが呼び出され得る。
【００２５】
本発明の特に好適な実施例に依れば、上記操作パラメータ調整ユニット及び／又は上記処理ユニットは、複数のネットワーク化された電気動力式トルク工具及び／又は各トルク工具の駆動部分の各々に対して取付けられ且つ／又は一体化された時間及び／又は位置捕捉ユニットを有する。このデータは、上記位置捕捉ユニットが例えばGPS受信器により形成され得る場合、実現されて呼び出し可能な文書の品質が補足的様式で高められ得る様に、実現されたプロセスに関する情報としても記憶され得る。更に、斯かる位置捕捉ユニット、操作パラメータ調整ユニット、及び／又は、斯かる調整ユニットを有する複数のネットワーク化された電気動力式トルク工具及び／又は各トルク工具の駆動部分の各々に対して適用される、ドローン飛行機能の如き自動化増進機能によれば、ボルト締め操作の遠隔的な、非監視的な、及び／又は、自動的な実施が許容される。
【００２６】
斯かる自動化増進機能によれば、SIMULTORC（登録商標）操作は更に向上される、と言うのも、複数のネットワーク化された電気動力式トルク工具及び／又は各トルク工具の駆動部分の各々は、異常なボルト締め特性を呈する箇所へと自動的に移動し得るからである。締結具に対する工具の優れた箇所案内のために、近接センサが使用され得る。斯かる自動化増進機能に対しては、例えば、対話式の移動マップ、ボルト締め経路の案内、締結具接近の案内、風向き補正、速度、距離、機首方位及び動力消費量の演算による、動的な経路編集、ボルト締め適用物の高度及び配向の変化特性、２Ｄ及び３Ｄでの周囲状況／地形の認識、内部のジャイロ又は外部のAHRSボックスに対するサポート、速度、高度、行程などの表示、実況的な飛行追跡、重量及び平衡の演算、ボルト締め接続の業務日誌の自動記録、工具及び工具部分の移動の同期、などの如き付加的な締結具接続プロセス・パラメータが必要とされよう。
【００２７】
更に、開示された発明は、斯かる操作パラメータ調整ユニットを含む電気動力式トルク工具、斯かる操作パラメータ調整ユニットを含む可搬式デバイス、及び、斯かる操作パラメータ調整ユニットを含む、複数の業務用螺条付き締結具の同時締めのための業務用ボルト締めシステム、を包含する。
【００２８】
以下においては、図面を参照して、本発明の好適実施例が更に詳細に説明される。先の考察は、各図面に対して適用される。説明の容易さのために、工具のトルク出力値が、選択される操作パラメータであるが、電流、電圧及び／又は磁界を含む工具の電気回路パラメータ、工具トルク出力値、締結具の回転速度、締結具のプレテンション力、締結具の回転角度、締結具の伸び、軸線方向であるかハウジングの撓曲であるかに関わらず、締結具及び／又は工具の捩れ、反作用取付具の側方負荷、締結具の摩擦抵抗、及び／又は、それらの任意の組み合わせ、などの、開示された任意の操作パラメータが使用され得る。
【図面の簡単な説明】
【００２９】
【図１】業務用ボルト締めシステム１００の見取り図としての概略的斜視図を示す。
【図２】業務用ボルト締めシステム２００の見取り図としての概略的斜視図を示す。
【図３】業務用ボルト締めシステム３００の見取り図としての概略的斜視図を示す。
【発明を実施するための形態】
【００３０】
図１を参照すると、該図は、複数の業務用螺条付き締結具４０の同時締めのために、操作パラメータ調整ユニット５０を有する電気動力式トルク工具１０により制御される複数のネットワーク化された電気動力式トルク工具１１を含む業務用ボルト締めシステム１００の見取り図としての概略的斜視図を示している。この実施例において、工具１０はマスタとして作用し、且つ、ネットワーク化された各工具１１はスレーブとして作用する。説明を容易とするために、操作パラメータ調整ユニット５０はカバー５１内に囲繞されて工具１０の外部に示されるが、実際には、ユニット５０の全体、及び／又は、その各部分は、工具１０の内部にもしくはそれに隣接して形成される。工具１０は、好適には内蔵のリチウムイオン・バッテリの形態である電力源１３を介して動力を受ける。電源１３は、任意の適切な供給源（例えば、太陽電池、燃料電池、電気コンセント、発電器、モータなど）を含み得る。概略的に、操作パラメータ調整ユニット５０は、工具１０の電子動力ユニット１４を起動すると共に、操作ユニット１５上で設定されたトルク出力レベル（又は、他の操作又は設定パラメータ）を制御する。電子動力ユニット１４及び操作ユニット１５は、相互に別体的に示されると共に、操作パラメータ調整ユニット５０の外部である。但し、電子動力ユニット１４及び／又は操作ユニット１５は、単一ユニットとして形成され得、且つ／又は、操作パラメータ調整ユニット５０と一体的に、もしくは、それに隣接して形成され得る。
【００３１】
操作パラメータ調整ユニット５０は、本実施例では、目標値として、工具１０及び各工具１１のトルク出力を調整／監視／測定などする。締結具接続のために必要な目標値を設定するために、操作パラメータ調整ユニット５０は入力ユニット５２を有する。本実施例では、可搬式バーコード・スキャナであるデータ捕捉ユニット５６は、操作員、工具１０及び／又は各工具１１、締結具接続対象物、又は、ボルト締め適用物４２、及び、締結具式接続器具４０から、締結具接続プロセス・パラメータ４１を捕捉する。ボルト締め適用物４２としては、例えば、閉じられるべきフランジが挙げられる。締結具式接続器具４０としては、例えば、螺条付きのスタッド、ボルト及び／又はナット、ワッシャ及び／又は他の任意で適切な部材が挙げられる。
【００３２】
データ捕捉ユニット５６は操作パラメータ調整ユニット５０に対して外部に示されるが、ユニット５６の全体、又は、その一部は、工具１０又は操作パラメータ調整ユニット５０の内部に見出され得る。各締結具接続プロセス・パラメータ４１は、無線により処理ユニット５３に対して転送される。処理ユニット５３は、おそらくは（不図示の）記憶ユニットに保存されたデータにアクセスした後、工具１０の操作パネル１５として、又は、その一部として形成され得るディスプレイもしくは出力ユニット５１を介し、設定されるべき圧縮トルクを表示する。入力ユニット５２上に示された圧縮トルクを、手動的、半手動的又は自動的に設定した後、締結プロセスは、起動ユニット５５を介して、手動的、半手動的又は自動的に開始及び停止され得る。もし手動的であれば、起動ユニット５５は、締結プロセスを開始すべく操作者が引張る工具１０のトリガ１６として形成され得る。圧縮トルク、又は、ネジのプレテンション力は、ネジ接続物を締め及び／又は緩めるために必要な力であることを銘記されたい。また、工具１０及び／又は各工具１１の各々は、開示されたSIMULTORC（登録商標）ボルト締め操作の各段階の一部分、大部分、及び／又は、全てを、操作パラメータ調整ユニット５０における内蔵ソフトウェア命令が実施する如く、類似する構成要素を含め、相互に構造的に同様であり得ることを銘記されたい。
【００３３】
複数のネットワーク化された電気動力式トルク工具１０及び／又は１１は、締結具接続対象物、すなわち、ボルト締め適用物４２の回りにおける各螺条付き締結具４０上で相互から等距離に配置されることを銘記されたい。SIMULTORC（登録商標）は、Parallel Joint Closure（登録商標）及び接合完全性を確実とする本出願人が所有するボルト締め方法であり、ボルト締め適用物４２の接合部漏出、接合部破損、及び／又は、（不図示の）ガスケット緩衝蓋体の圧壊による操作者の負傷、特性損失、及び／又は、生産損失の虞れを最小限度に抑えるものである。操作パラメータ調整ユニット５０及び／又は工具１０及び／又は各工具１１と共に（不図示の）検知ユニットが含まれることで、複数のネットワーク化された電気動力式トルク工具１０及び１１が、各螺条付き締結具４０を締め且つ／又は緩めるべく利用可能なときを決定し得ることを銘記されたい。換言すると、単一もしくは複数の電子動力ユニット１４、単一もしくは複数の操作ユニット１５、単一もしくは複数のトリガ１６、単一もしくは複数の操作パラメータ調整ユニット５０、及び／又は、それらの一部は、工具１０及び／又は各工具１１が、各螺条付き締結具４０及びボルト締め適用物４２の回りに正しく位置決めされて安全に係合されなければ、起動不能とされ得る。斯かる検知ユニットは、操作者の負傷の虞れを減少及び／又は排除する安全機構、及び、Parallel Joint Closure（登録商標）及び接合完全性を確実とする品質機構として作用する。
【００３４】
例えば図１に示された如きSIMULTORC（登録商標）ボルト締め操作の間、制御ユニット５４は、複数のネットワーク化された電気動力式トルク工具１０及び１１の各々の、本実施例では工具トルク出力値である単一もしくは複数の操作パラメータを制御して、該単一もしくは複数の操作パラメータの間の差を、所定値以内に維持する。もし、単一もしくは複数の操作パラメータにおける差が上記所定値を超過したなら、制御ユニット５４は、単一もしくは複数の操作パラメータの差が上記所定値以内に戻るまで、工具１０及び／又は１１の単一もしくは複数の操作パラメータを調整する。
【００３５】
以下においては、図２を参照して本発明の別の好適実施例が更に詳細に説明される。図１に関する先の概略的な考察及び詳細な考察は、図２に示された実施例に対して適用される。図２を参照すると、該図は、複数の業務用螺条付き締結具４０の同時締めのために、操作パラメータ調整ユニット５０を有する電気動力式トルク工具１０により制御される各電気動力式トルク工具の複数のネットワーク化された駆動部分２１１を含む業務用ボルト締めシステム２００の見取り図としての概略的斜視図を示している。この実施例において、工具１０はマスタとして作用し、且つ、ネットワーク化された各駆動部分２１１はスレーブとして作用する。
【００３６】
以下においては、図３を参照して本発明の別の好適実施例が更に詳細に説明される。図１及び図２に関する先の概略的な考察及び詳細な考察は、図３に示された実施例に対して適用される。図３を参照すると、該図は、複数の業務用螺条付き締結具４０の同時締めのために、操作パラメータ調整ユニット５０を有する可搬式デバイス３２０により制御される各電気動力式トルク工具の複数のネットワーク化された駆動部分３１１を含む業務用ボルト締めシステム３００の見取り図としての概略的斜視図を示している。この実施例において、可搬式デバイス３２０はマスタとして作用し、且つ、ネットワーク化された各駆動部分３１１はスレーブとして作用する。
【００３７】
図面中に示されない代替実施例において、電気動力式トルク工具１０、複数のネットワーク化された電気動力式トルク工具１１、各電気動力式トルク工具の複数のネットワーク化された駆動部分２１１、各電気動力式トルク工具の複数のネットワーク化された駆動部分３１１、それらの内の１つ、それらの内の複数、それらの１つの部分集合、それらの複数の部分集合、又は、それらの任意の組合せ、の監視及び制御は、区画、ライン、工場に亙る、事業者に亙る、又は、提携業者に亙る生産実行システム（MES）の一部として行われ得る。換言すると、本発明のトルク工具、及び、トルク工具の駆動部分は、手動式、自動式、又は、半自動式のプロセスにおいて他のデバイス及び機器と一体化されて製造の全ての見地を組み合わせ、全てのプロセス及び記録をデジタル化し、且つ、操作の全ての出力を厳密に制御し得るインテリジェント・デバイスである。
【００３８】
図面中に示されない更なる実施例において、電気動力式トルク工具１０、複数のネットワーク化された電気動力式トルク工具１１、各電気動力式トルク工具の複数のネットワーク化された駆動部分２１１、各電気動力式トルク工具の複数のネットワーク化された駆動部分３１１、それらの内の１つ、それらの内の複数、それらの１つの部分集合、それらの複数の部分集合、又は、それらの任意の組合せ、の監視及び制御は、特に重要なボルト締め適用物において、閉ループの有線システムにおいて行われ得る。
【００３９】
好適には、本出願において開示された技術革新は、複数の業務用螺条付き締結具の同時締めのために、複数のネットワーク化された電気動力式トルク工具、及び／又は、各トルク工具の駆動部分を有するボルト締めシステムのための操作パラメータ調整ユニットを包含する。実際、SIMULTORC（登録商標）は、複数のネットワーク化された電気動力式トルク工具、及び／又は、各トルク工具の駆動部分、特に、携帯式及び／又は可搬式の種類のものにより達成可能である。SIMULTORC（登録商標）は、Parallel Joint Closure（登録商標）及び接合完全性を確実とする本出願人が所有するボルト締め方法であり、フランジの接合部漏出、接合部破損、及び／又は、ガスケット緩衝蓋体の圧壊による操作者の負傷、特性損失、及び／又は、生産損失の虞れを最小限度に抑えるものである。
【００４０】
上述の明細書及び以下の各請求項において使用されたとき、“備えて成る（comprises）”、“含む（includes）”、“有する（has）”という語句、及び、それらの変化形は、特定の特徴、段階又は整数が包含されることを意味している。各語句は、他の特徴、段階又は構成要素の存在を除外すると解釈されるべきでない。明細書及び各請求項における語句又は表現が、それらの通常の意味とは異なる何らかの特殊な意味が与えられたとしても、それは極く僅かであることから、本明細書は、各語句を不当に狭い意味で定義するために使用されるべきでない。
【００４１】
上記明細書、以下の各請求項、及び／又は、添付図面において開示された特徴であって、必要に応じて、それらの特定形態において表現され、或いは、開示された機能を実施する手段、又は、開示された結果を達成する方法もしくはプロセスに関して表現されたという特徴は、別体的に、又は、斯かる特徴の任意の組合せにて、本発明をその多様な形態で実現するために利用され得る。上記内容は、本出願の好適実施例の単なる説明であること、及び、添付の各請求項において示された発明の真の精神及び有効範囲から逸脱せずに、種々の変更、組み合わせ、改変例及び変更例が為され得ることは理解されるべきである。
【図１】
2019514701.tif 000003
【図２】
2019514701.tif 000004
2019514701.tif 000005
【国際調査報告】
2019514701.tif 000006
2019514701.tif 000007
2019514701.tif 000008